(57)【要約】【課題】  天井パネルの側縁を支持する天井支持材の任意の位置に、下方からの作業のみで簡単且つ強固に取付金具を取付けることができ、該取付金具を介して間仕切パネル等の他の部材を容易に固定することが可能な天井固定装置を提供する。【解決手段】  天井支持材は、垂直な吊支板の下端に、開口溝を下に向けて形成した断面略Ｃ字形の係止レールを有し、取付金具は、基板の両側縁の対角位置に断面Ｌ字形の係止片を折曲形成するとともに、基板の中央部に形成した通孔に頭部を有する支持ボルトを上方から挿通し、支持ボルトにナットを螺合したものであり、取付金具の両係止片で天井支持材の係止レールを包持するとともに、支持ボルトの頭部を開口溝から係止レールの内部に挿入して係止し、他の部材を前記ナットで基板に締め付けて固定する。【選択図】        図１
2014109162.tif 000002
【特許請求の範囲】
【請求項１】
天井パネルの側縁を支持する天井支持材に取付金具を取付けて、該取付金具で他の部材を支持する天井固定装置であって、前記天井支持材は、垂直な吊支板の下端に、開口溝を下に向けて形成した断面略Ｃ字形の係止レールを有し、前記取付金具は、基板の両側縁の対角位置に断面Ｌ字形の係止片を折曲形成するとともに、基板の中央部に形成した通孔に頭部を有する支持ボルトを上方から挿通し、該支持ボルトにナットを螺合したものであり、前記取付金具の両係止片で前記天井支持材の係止レールを包持するとともに、前記支持ボルトの頭部を前記開口溝から係止レールの内部に挿入して係止し、前記他の部材を前記ナットで基板に締め付けて固定することを特徴とする天井固定装置。
【請求項２】
前記天井支持材の係止レールは、断面四角形の中空杆体の下面中央部に沿って前記開口溝を形成した構造であり、前記取付金具は、前記通孔の中心軸に対して１８０度回転対称な形状であり、前記係止レールの下面に沿った長方形の基板の両側縁の対角位置にそれぞれ形成した前記係止片は、垂直片と該垂直片の上端から内向きに直角に折曲した水平片とからなる前記１記載の天井固定装置。
【請求項３】
前記支持ボルトの頭部の最小幅は、前記係止レールの開口溝の幅よりも小さく、頭部の最大幅は開口溝の幅よりも大きく設定し、前記両係止片の最小間隔は前記係止レールの外形における横幅よりも大きく設定してなる請求項１又は２記載の天井固定装置。
【請求項４】
前記他の部材が、間仕切パネルの上部を保持する天レールであり、該天レールの上面板に形成した取付孔に前記支持ボルトを通し、下方から螺合した前記ナットで、前記取付金具の基板とナットで天レールの上面板を締め付けると同時に、前記係止レールの開口溝の両側に有する係止板を前記支持ボルトの頭部と基板で締め付けてなる請求項１〜３何れか１項に記載の天井固定装置。
【発明の詳細な説明】
【技術分野】
【０００１】
本発明は、天井固定装置に係わり、更に詳しくは例えば天井から床面にわたって設ける間仕切パネルを天井に保持するための天井固定装置に関するものである。
【背景技術】
【０００２】
通常、オフィスビル等の室内の天井には、吊り天井構造が多く採用されている。つまり、階上のスラブから垂下した吊支部材によって、縦横に張り巡らした天井支持杆を吊下げ状に保持し、該天井支持杆に天井パネルの周囲を係止する構造である。このような天井創造を有する室内に天井から床面にわたって間仕切パネルを設置する場合、間仕切パネルの天レールを天井支持杆に保持することになる。
【０００３】
特許文献１には、断面Ｈ型の梁の下フランジ部に、間仕切壁用下地材や天井用下地材等の下地材を取付金具を介して取付ける構造が記載されている。つまり、取付金具は、間仕切壁用下地材や天井用下地材等の下地材を取付けるための取付部から上方に向けて一対の上向き突片部を対向して突設し、各上向き突片部の一側端部に対向する別の上向き突片部の方向に向けて上横片部を突設するとともに各上向き突片部の他側端部に対向する別の上向き突片部の方向に向けて下当て横片部を突設し、対向する上向き突片部において一方の上向き突片部の上横片部と他方の上向き突片部の下当て横片部とが対向すると共に一方の上向き突片部の下当て横片部と他方の上向き突片部の上横片部とが対向し、下当て横片部よりも上横片部を上に位置させ、下当て横片部の上面部に弾性を有する防振材を取着し、両上横片部の先端間の距離を下フランジ部の巾以上とし、両下当て横片部の先端間の距離を下フランジ部の巾以下とし、対向する上横片部と下当て横片部との平面視における距離を下フランジ部の巾よりも狭くした構造である。
【０００４】
しかし、特許文献１に記載の取付金具は、Ｈ型梁の下フランジ部の上面部にそれぞれ上横片部を載置すると共に下フランジ部の下面部に下当て横片部の上面部に取着した防振材を押圧して梁に取付けるようになっているので、取付作業自体は挿入し、４５度程度の回転だけで済むので簡単であるが、防振材を押圧して下フランジ部に保持されているだけであるので、複数の取付金具の取付部にわたって、間仕切壁を支持する上ランナや、天井材を保持するスタッドを取付けるまでは、脱落する恐れもある。また、取付金具とＨ型梁の下フランジ部とは係合のみで保持されているので、不安定感は否めない。
【先行技術文献】
【特許文献】
【０００５】
【特許文献１】特許第４４４８２２７号公報
【発明の概要】
【発明が解決しようとする課題】
【０００６】
そこで、本発明が前述の状況に鑑み、解決しようとするところは、天井パネルの側縁を支持する天井支持材の任意の位置に、下方からの作業のみで簡単且つ強固に取付金具を取付けることができ、該取付金具を介して間仕切パネル等の他の部材を容易に固定することが可能な天井固定装置を提供する点にある。
【課題を解決するための手段】
【０００７】
本発明は、前述の課題解決のために、天井パネルの側縁を支持する天井支持材に取付金具を取付けて、該取付金具で他の部材を支持する天井固定装置であって、前記天井支持材は、垂直な吊支板の下端に、開口溝を下に向けて形成した断面略Ｃ字形の係止レールを有し、前記取付金具は、基板の両側縁の対角位置に断面Ｌ字形の係止片を折曲形成するとともに、基板の中央部に形成した通孔に平面視四角形の頭部を有する支持ボルトを上方から挿通し、該支持ボルトにナットを螺合したものであり、前記取付金具の両係止片で前記天井支持材の係止レールを包持するとともに、前記支持ボルトの頭部を前記開口溝から係止レールの内部に挿入して係止し、前記他の部材を前記ナットで基板に締め付けて固定することを特徴とする天井固定装置を構成した（請求項１）。
【０００８】
ここで、前記天井支持材の係止レールは、断面四角形の中空杆体の下面中央部に沿って前記開口溝を形成した構造であり、前記取付金具は、前記通孔の中心軸に対して１８０度回転対称な形状であり、前記係止レールの下面に沿った長方形の基板の両側縁の対角位置にそれぞれ形成した前記係止片は、垂直片と該垂直片の上端から内向きに直角に折曲した水平片とからなることが好ましい（請求項２）。
【０００９】
更に、前記支持ボルトの頭部の最小幅は、前記係止レールの開口溝の幅よりも小さく、頭部の最大幅は開口溝の幅よりも大きく設定し、前記両係止片の最小間隔は前記係止レールの外形における横幅よりも大きく設定してなることがより好ましい（請求項３）。
【００１０】
そして、前記他の部材が、間仕切パネルの上部を保持する天レールであり、該天レールの上面板に形成した取付孔に前記支持ボルトを通し、下方から螺合した前記ナットで、前記取付金具の基板とナットで天レールの上面板を締め付けると同時に、前記係止レールの開口溝の両側に有する係止板を前記支持ボルトの頭部と基板で締め付けてなることも好ましい（請求項４）。
【発明の効果】
【００１１】
以上にしてなる請求項１に係る発明の天井固定装置は、天井パネルの側縁を支持する天井支持材に取付金具を取付けて、該取付金具で他の部材を支持する天井固定装置であって、前記天井支持材は、垂直な吊支板の下端に、開口溝を下に向けて形成した断面略Ｃ字形の係止レールを有し、前記取付金具は、基板の両側縁の対角位置に断面Ｌ字形の係止片を折曲形成するとともに、基板の中央部に形成した通孔に頭部を有する支持ボルトを上方から挿通し、該支持ボルトにナットを螺合したものであり、前記取付金具の両係止片で前記天井支持材の係止レールを包持するとともに、前記支持ボルトの頭部を前記開口溝から係止レールの内部に挿入して係止し、前記他の部材を前記ナットで基板に締め付けて固定するので、天井支持材の任意の位置に、取付金具を下方からの作業のみで簡単に取付けることができ、しかも両係止片を係止レールを包持するように係止するとともに、支持ボルトの頭部を開口溝内に係止するので確実に取付けることができ、そして支持ボルトの下部を他の部材の板状部に形成した取付孔に挿入し、該支持ボルトの下部にナットを螺合することにより、他の部材の板状部を基板とナットで締め付けると同時に、支持ボルトの頭部と基板とで係止レールの開口溝の両側部を締め付けることができるので、係止レールの任意の位置に取付金具と他の部材を強固に固定することができる。
【００１２】
請求項２によれば、前記天井支持材の係止レールは、断面四角形の中空杆体の下面中央部に沿って前記開口溝を形成した構造であり、前記取付金具は、前記通孔の中心軸に対して１８０度回転対称な形状であり、前記係止レールの下面に沿った長方形の基板の両側縁の対角位置にそれぞれ形成した前記係止片は、垂直片と該垂直片の上端から内向きに直角に折曲した水平片とからなるので、簡単な構造の取付金具は製造が容易であり、コスト低減化に寄与する。
【００１３】
請求項３によれば、前記支持ボルトの頭部の最小幅は、前記係止レールの開口溝の幅よりも小さく、頭部の最大幅は開口溝の幅よりも大きく設定し、前記両係止片の最小間隔は前記係止レールの外形における横幅よりも大きく設定してなるので、両係止片の間に係止レールを受け入れるとともに、支持ボルトの頭部の長手方向を開口溝の方向に向けて内部に挿入し、前記取付金具を４０度程度回転させて、基板の長手方向を係止レールに沿わせるとともに、両係止片を係止レールの上面に係止し、更に支持ボルトを約９０度回転させることにより、開口溝の内部に係止することができ、単に下方からの挿入、回転作業のみで係止レールに取付金具を係止することができる。
【００１４】
請求項４によれば、前記他の部材が、間仕切パネルの上部を保持する天レールであり、該天レールの上面板に形成した取付孔に前記支持ボルトを通し、下方から螺合した前記ナットで、前記取付金具の基板とナットで天レールの上面板を締め付けると同時に、前記係止レールの開口溝の両側に有する係止板を前記支持ボルトの頭部と基板で締め付けてなるので、係止レールの任意の位置に取付金具を固定すると同時に、天レールを固定することができ、そして天レールによって間仕切パネルの上部を安定に保持することができる。
【図面の簡単な説明】
【００１５】
【図１】本発明の天井固定装置の要部を示す部分縦断面図である。
【図２】天井支持材の部分縦断面図である。
【図３】天井と床面との間に間仕切パネルを設置した状態の縦断面図である。
【図４】取付金具を示し、（ａ）は全体の斜視図、（ｂ）は分解斜視図である。
【図５】取付金具の支持ボルトを示し、（ａ）は平面図、（ｂ）は正面図である。
【図６】天井支持材を利用して複数の間仕切パネルを連設した態様を示す説明用配置図である。
【図７】間仕切パネルの連結構造を示す部分横断面図である。
【発明を実施するための形態】
【００１６】
次に、添付図面に示した実施形態に基づき、本発明を更に詳細に説明する。図１は本発明の要部を示し、図２は天井支持材の部分断面を示し、図３は間仕切パネルを天井と床面との間に立設した状態を示し、図４及び図５は取付金具を示し、図中符号１は天井支持材、２は天井パネル、３は取付金具、４は間仕切パネル、５は天レール、６は地レール、７はパネル板をそれぞれ示している。
【００１７】
本実施形態では、図３、図６及び図７に示すように、階上スラブ８の下方に天井支持材１を縦横に張り巡らせて天井パネル２の周囲を保持し、隣接する天井パネル２，２の間に臨んだ天井支持材１の任意の位置に、取付金具３を取付ける。そして、前記天井Ｓと床面Ｆの間に間仕切パネル４を立設するには、複数の前記取付金具３，…を用いて天井Ｓに取付けた天レール５と、床面Ｆに対向させて敷設した地レール６との間に支柱９，…を所定間隔で立設し、その支柱９，９の表裏両側にパネル板７，７を係止して構成する。
【００１８】
更に詳しくは、前記天井支持材１は、図１及び図２に示すように、垂直な吊支板１０の下端に、開口溝１２を下に向けて形成した断面略Ｃ字形の係止レール１１を有している。具体的には、前記吊支板１０は、垂直な鋼板を２枚重ねて固着するとともに、両板材の下端を外側に直角に折曲して連結板１３，１３を形成し、下端に断面Ｔ字形の連結部を形成した構造である。前記係止レール１１は、断面四角形の中空杆体の下面中央部に沿って前記開口溝１２を形成した構造であり、カラー鋼板を断面略コ字形に折曲して内側レール部１４を形成するとともに、前記開口溝１２の口縁で外側に折り返し、前記内側レール部１４の外側で下面部及び側面部で重なり、上面部で前記連結板１３の板厚分だけ隙間を設けた外側レール部１５とからなる。そして、前記吊支板１０の両連結板１３，１３を前記係止レール１１の内側レール部１４の上面板１４Ａと外側レール部１５の両上面板１５Ａ，１５Ａとで挟み込んで固定する。ここで、前記開口溝１２の両側は、係止板１６，１６となっているとともに、前記外側レール部１５の両上面板１５Ａ，１５Ａの上面は受面１７，１７となっている。
【００１９】
前記係止板１６，１６は、前記内側レール部１４と外側レール部１５の板材の二重構造になっており、また前記受面１７，１７は、前記吊支板１０の連結板１３、内側レール部１４の上面板１４Ａ及び外側レール部１５の両上面板１５Ａの三重構造になっており、曲げ強度が高くなっている。また、前記係止レール１１はカラー鋼板で作製したので、塗装をしなくても十分に外面が綺麗な仕上がりとなり、また前記吊支板１０は直接見えないので、無塗装鋼板の地肌のまま使用することでコスト低減化を図ることができる。
【００２０】
そして、前記取付金具３は、図１、図４及び図５に示すように、本体金具１８と支持ボルト１９及びナット２０とか構成され、前記本体金具１８は、長方形の基板２１の両側縁の対角位置に断面Ｌ字形の係止片２２，２２を折曲形成するとともに、基板２１の中央部に形成した通孔２３に頭部２４を有する支持ボルト１９を上方から挿通し、該支持ボルト１９にナット２０を螺合した構造である。更に詳しくは、前記取付金具３は、前記通孔２３の中心軸に対して１８０度回転対称な形状であり、前記係止レール１１の下面に沿った長方形の基板２１の両側縁の対角位置にそれぞれ形成した前記係止片２２，２２は、垂直片２５と該垂直片２５の上端から内向きに直角に折曲した水平片２６とからなる。前記基板２１の幅は前記係止レール１１の幅に略一致している。
【００２１】
前記天井パネル２は、図１に示すように、端部の下面側に切欠部２７を形成し、該切欠部２７を前記係止レール１１の上部に係合させて保持している。従って、隣接する天井パネル２，２間には、前記係止レール１１が下方に臨んでいる。
【００２２】
図２において、前記係止レール１１の開口溝１２の幅をＤ１とし、内側レール部１４の両側内面間隔をＤ２とし、係止レール１１の外形の横幅寸法、つまり外側レール部１５の両側外面間隔をＤ３とする。図４及び図５において、前記支持ボルト１９の頭部２４は、本実施形態では平行四辺形に形成し、その短辺幅Ｗ１は、前記係止レール１１の開口溝１２の幅Ｄ１よりも小さく、頭部２４の長辺幅Ｗ２は開口溝１２の幅Ｄ１よりも大きく設定し、前記両係止片２２，２２の最小間隔Ｗ３は前記係止レール１１の外形における横幅Ｄ３よりも大きく設定している。前記短辺幅Ｗ１は、頭部２４の最小幅となる。更に、本実施形態では、平行四辺形の前記頭部２４の対角線のうち、短い対角線の長さＬ１を内側レール部１４の両側内面間隔をＤ２より短く設定するとともに、長い対角線の長さＬ２をＤ２より長く設定し、該頭部２４が係止レール１１の内部で空回りしないようにしている。前記長さＬ２は頭部２４の最大幅となる。ここで、前記長辺幅Ｗ２は、前記幅Ｄ２と一致するか若干狭く設定することが好ましい。
【００２３】
そして、前記天井パネル２を若干持ち上げ、前記取付金具３の両係止片２２，２２の間に、前記係止レール１１を受け入れるとともに、前記支持ボルト１９の頭部２４を開口溝１２の長手方向に向けて内部に挿入し、それから取付金具３を基板２１が係止レール１１に沿うように回転させると、両係止片２２，２２の水平片２６，２６が係止レール１１の受面１７，１７の上方に回り込み係止する一方、前記支持ボルト１９を約９０度回転させると、頭部２４の長手方向が開口溝１２と交差し、両端部が前記係止板１６，１６に上に位置して係止する。つまり、前記取付金具３で前記天井支持材１の係止レール１１を包持するとともに、前記支持ボルト１９の頭部２４を前記開口溝１２から係止レール１１の内部に挿入して係止するのである。前記取付金具３の両係止片２２，２２を係止レール１１に係止した後は、前記天井パネル２を下して再度係止レール１１に係止し、あるいは係止片２２の上に係止して元の状態に戻すことができる。そして、前記天レール５の上面板２８に形成した図示しない取付孔に前記支持ボルト１９の下部を挿入し、該支持ボルト１９にナット２０を螺合する。この状態で、前記天レール５の上面板２８を基板２１とナット２０で締め付けると同時に、支持ボルト１９の頭部２４と基板２１とで係止レール１１の開口溝１２の両側部の係止板１６，１６を締め付けるのでる。
【００２４】
本発明は、前記天レール５の代わりに任意の他の部材を、前記同様に取付金具３を用いて天井支持材１の係止レール１１の任意位置に固定することができるのである。他の部材の例としては、ロールスクリーン、プロジェクター、スピーカー等の視聴覚機器や、展示物を保持するボード等が挙げられる。
【００２５】
図６に示すように、縦横に一定間隔で前記天井支持材１の係止レール１１が存在すると、該係止レール１１に沿って間仕切パネル４を設け、あるいは複数の係止レール１１，１１を交差させて間仕切パネル４を設けることが可能である。
【符号の説明】
【００２６】
１  天井支持材、        ２  天井パネル、
３  取付金具、          ４  間仕切パネル、
５  天レール、          ６  地レール、
７  パネル板、          ８  階上スラブ、
９  支柱、              １０  吊支板、
１１  係止レール、      １２  開口溝、
１３  連結板、          １４  内側レール部、
１４Ａ  上面板、        １５  外側レール部、
１５Ａ  上面板、        １６  係止板、
１７  受面、            １８  本体金具、
１９  支持ボルト、      ２０  ナット、
２１  基板、            ２２  係止片、
２３  通孔、            ２４  頭部、
２５  垂直片、          ２６  水平片、
２７  切欠部、          ２８  上面板、
Ｆ  床面、              Ｓ  天井。
【図１】
2014109162.tif 000003
【図２】
2014109162.tif 000004
【図３】
2014109162.tif 000005
【図４】
2014109162.tif 000006
【図５】
2014109162.tif 000007
【図６】
2014109162.tif 000008
【図７】
2014109162.tif 000009